(57)【特許請求の範囲】
【請求項１】
木製の一方の弦材（１３）と、
前記一方の弦材（１３）に沿う木製の他方の弦材（１７）と、
三辺の各辺部が異なる長さの直角三角形からなり前記一方の弦材（１３）と前記他方の弦材（１７）との間に配設固定される複数の三角金物（１１）と、
を具備し、
前記三角金物（１１）の全外周を形成する各辺部及び各角部は、断面形状がＬ型の山形鋼材によって形成され、各辺部及び各角部の外面には、予め貫通穴（２５）が形成されており、
前記三角金物（１１）の各角部の外面は、前記各角部のそれぞれに対向する辺部の外面と平行で平坦な弦材当接面とされ、
三角金物（１１）の一方の弦材（１３）に当接される辺部の外面と一方の弦材（１３）とは、前記貫通穴（２５）を介して締結部材により直接的に接合されて結合され、
三角金物（１１）の他方の弦材（１７）に当接される角部の弦材当接面と他方の弦材（１７）とは、前記貫通穴（２５）を介して締結部材により直接的に接合されて結合されていることを特徴とする木造建築物用連結補強構造。
【請求項２】
請求項１記載の木造建築物用連結補強構造であって、
前記一方の弦材と前記他方の弦材とが、水平な上下の梁材であることを特徴とする木造建築物用連結補強構造。
【請求項３】
請求項１または２記載の木造建築物用連結補強構造であって、
前記締結部材が、ボルトとナットとからなり、
前記弦材当接面及び前記辺部には貫通穴が穿設され、
前記一方の弦材と前記他方の弦材の所定位置に穿設された固定穴と、前記貫通穴とを貫通した前記ボルトに前記ナットが螺合されて、前記一方の弦材と前記他方の弦材との間に前記三角金物が固定されることを特徴とする木造建築物用連結補強構造。
【請求項４】
請求項１乃至３のいずれか１項に記載の木造建築物用連結補強構造であって、
前記三角金物は、前記辺部の辺部延在方向に直交する辺部幅長が、前記一方の弦材及び前記他方の弦材の弦材延在方向に直交する弦材幅長の半分以下となるように形成され、
前記一方の弦材及び前記他方の弦材の対向内壁面内の幅方向に前記三角金物が並べて配設されることを特徴とする木造建築物用連結補強構造。
【発明の詳細な説明】
【技術分野】
【０００１】
本発明は、家屋などの木造建築物用連結補強構造に関する。
【背景技術】
【０００２】
大きい荷重を支持することができる木製トラス構造が木造構造物に広く用いられている（特許文献１，２，３等参照）。例えば平行弦トラスは、上梁材である上弦材、下梁材である下弦材が平行に配置される。下弦材と上弦材とは、縦の束材と、斜めの斜材とによって一体となって繋がれる。これら束材や斜材は、ラティス材とも称される。静定トラスのモデルにおいて、ラティス材は、両端の節点が滑点で接合される。このような平行弦トラスでは、三角形の組み合わせで構成されている構造の全てのラティス材が端部を滑点で接合（ピン接合）して連結される。
【０００３】
具体的には、屋根構造に適用される木製トラスは、妻側壁上端面に沿って配置される陸梁と、該陸梁の端部に結合されて屋根の勾配に合わせて配置される合掌と、前記陸梁と前記合掌との間に三角形トラスを形成するように斜めに配置される斜材と、前記陸梁と前記合掌、前記陸梁と前記斜材、前記合掌と前記斜材をそれぞれ突き当り結合し、それぞれを挟持して接着・釘留めにより固定する結合板や固定金物等とから構成される（特許文献３参照）。
【先行技術文献】
【特許文献】
【０００４】
【特許文献１】特開平１０−１６９０８８号公報
【特許文献２】特開２００１−１５２６０６号公報
【特許文献３】特開２０１１−２１４４４号公報
【発明の概要】
【発明が解決しようとする課題】
【０００５】
しかしながら、従来の木製トラスは、斜材の両端を勾配・角度に合わせてカットするという専門技能を必要とし、非常に手間のかかる作業を必要とした。さらに、その斜材・束材は、そのままでは外れてしまうため、別の結合板や固定金物等で外側両面から固定する必要があり、その金物固定作業にも時間を要していた。そして、例えば平行弦トラス等の高さ幅（弦間隔）を変える場合には、これらの手間のかかるカット作業や異なる種類の固定金物が、その都度必要となった。
【０００６】
本発明は上記状況に鑑みてなされたもので、その目的は、構造体としてのトラス構造を簡単な施工で完成させることができ、しかも、高さの異なるトラス構造に対応できる木造建築物用連結補強構造を提供することにある。
【課題を解決するための手段】
【０００７】
次に、上記の課題を解決するための手段を、実施の形態に対応する図面を参照して説明する。
本発明の請求項１記載の木造建築物用連結補強構造は、木製の一方の弦材１３と、前記一方の弦材１３に沿う木製の他方の弦材１７と、三辺の各辺部が異なる長さの直角三角形からなり前記一方の弦材１３と前記他方の弦材１７との間に配設固定される複数の三角金物１１と、を具備し、
前記三角金物１１の全外周を形成する各辺部及び各角部は、断面形状がＬ型の山形鋼材によって形成され、各辺部及び各角部の外面には、予め貫通穴２５が形成されており、
前記三角金物１１の各角部の外面は、前記各角部のそれぞれに対向する辺部の外面と平行で平坦な弦材当接面とされ、
三角金物１１の一方の弦材１３に当接される辺部の外面と一方の弦材１３とは、前記貫通穴２５を介して締結部材により直接的に接合されて結合され、
三角金物１１の他方の弦材１７に当接される角部の弦材当接面と他方の弦材１７とは、前記貫通穴２５を介して締結部材により直接的に接合されて結合されていることを特徴とする。
【０００８】
この木造建築物用連結補強構造では、木製の一方の弦材と木製の他方の弦材との間に、複数の三角金物１１が固定される。すなわち、一方の弦材と他方の弦材とは、三角金物１１を介し連結されて一体の構造物となる。一つの三角金物１１は、例えば一つの角部の弦材当接面が一方の弦材に固定される。また、三角金物１１は、一つの角部と対向する辺部が、他方の弦材に固定される。それぞれの固定部は、滑点で弦材に接合されていると想定することができる。その場合、三角金物１１のそれぞれの弦材当接面のみに集中荷重が加わると、すなわち各辺部に荷重が加わらないと、三角金物１１の各辺部には剪断力や曲げモーメントが生じない。すなわち、三角金物１１は、一方の弦材と他方の弦材とを固定することによって、各辺部に沿う方向の引っ張り力または圧縮力の軸力のみが生じるトラス構造を構成する。
また、三角金物１１が用いられることで、従来の木製トラスのように、勾配や角度にあわせて斜材の両端をカットする専門技能が不要となる。さらに、カットした斜材や束材を固定するため、従来の木製トラスで用いられていた固定金物が不要となり、同時に、その固定作業も不要となる。
また、三角金物１１は、３つの各辺部が異なる直角三角形であるので、１つのものが、３通りの高さに使用が可能となる。そのため、三角金物１１を使うことで、高さの異なる３種類のトラス構造体を１種類の三角金物１１で実現できる。
【０００９】
本発明の請求項２記載の木造建築物用連結補強構造は、請求項１記載の木造建築物用連結補強構造であって、
前記一方の弦材と前記他方の弦材とが、水平な上下の梁材であることを特徴とする。
【００１０】
この木造建築物用連結補強構造では、一方の弦材と他方の弦材とが、下弦材（下梁材１３）、上弦材（上梁材１７）となる。この下梁材１３と上梁材１７との間に複数の三角金物１１を設けることで、平行弦トラスが構成される。この平行弦トラスは、三角金物１１の向きを、三角金物１１の重心を中心とした回転方向に変えることで、三種類の高さが選択可能となる。
【００１１】
本発明の請求項３記載の木造建築物用連結補強構造は、請求項１または２記載の木造建築物用連結補強構造であって、
前記締結部材が、ボルト３３とナット３５とからなり、
前記弦材当接面及び前記辺部には貫通穴２５が穿設され、
前記一方の弦材と前記他方の弦材の所定位置に穿設された固定穴１５と、前記貫通穴２５とを貫通した前記ボルト３３に前記ナット３５が螺合されて、前記一方の弦材と前記他方の弦材との間に前記三角金物１１が固定されることを特徴とする。
【００１２】
この木造建築物用連結補強構造では、一方の弦材と他方の弦材との所定位置に、あらかじめ穿設されている固定穴１５に、貫通穴２５を一致させて三角金物１１が配置される。一致させた固定穴１５と貫通穴２５とに一つのボルト３３を挿通し、ボルト３３の挿通先端にナット３５を螺合する。これにより、弦材と三角金物１１とは、簡単に固定され、一体の構造物となる。
【００１３】
本発明の請求項４記載の木造建築物用連結補強構造は、請求項１，２，３のいずれか１項に記載の木造建築物用連結補強構造であって、
前記三角金物１１を形成する各辺部は、辺部延在方向に直交する断面形状が山形の山形鋼材によって形成されることを特徴とする。
【００１４】
この木造建築物用連結補強構造では、三角金物１１の各辺部が、山形鋼材からなる。山形鋼材は、辺部延在方向に直交する断面形状が山形となる。山形は、断面形状が、直交する二片によってＬ字形状となる。すなわち、三角金物１１は、山形鋼材を用いることで、直角三角形を含む平面に対し、垂直な平面に平行な弦材当接面が、三角金物１１の外周面に容易に形成可能となる。
【００１５】
本発明の請求項４記載の木造建築物用連結補強構造は、請求項１乃至３のいずれか１項に記載の木造建築物用連結補強構造であって、
前記三角金物１１は、前記辺部の辺部延在方向に直交する辺部幅長が、前記一方の弦材及び前記他方の弦材の弦材延在方向に直交する弦材幅長の半分以下となるように形成され、
前記一方の弦材及び前記他方の弦材の幅方向に前記三角金物１１が並べて配設されることを特徴とする。
【００１６】
この木造建築物用連結補強構造では、三角金物１１の辺部幅長が、弦材幅長の半分以下となる。これにより、三角金物１１は、弦材幅長に沿う方向で、複数が重ねて配置可能となる。
【発明の効果】
【００１７】
本発明に係る請求項１乃至４記載の木造建築物用連結補強構造によれば、木製によるトラス構造体を簡単施工で完成させることができ、しかも、高さの異なる三種類のトラス構造に対応できる。また、対向する木製の一方及び他方の弦材は、三角金物の共に平坦で平行な辺部及び角部外面の弦材当接面に当接され、且つ該外面の弦材当接面に予め形成された貫通穴を介して締結部材により結合固定されているところから、その構造が安定し、施工も容易である。
【００１８】
本発明に係る請求項２記載の木造建築物用連結補強構造によれば、スパンの異なる三種類の開口部に応じ、開口部上方の平行弦トラスを簡単施工できる。
【００１９】
本発明に係る請求項３記載の木造建築物用連結補強構造によれば、一方の弦材と他方の弦材のあらかじめ決められた位置に固定穴を置けておくだけで、その固定穴の位置に三角金物を組み込み、ボルトとナットで固定するだけの簡単施工で、トラス構造体を完成することができる。
【００２０】
本発明に係る請求項１記載の木造建築物用連結補強構造によれば、断面形状が山形となり、これにより弦材当接面が形成される高強度な三角金物を、市販材料を用いて簡単に、且つ安価に製造できる。
【００２１】
本発明に係る請求項４記載の木造建築物用連結補強構造によれば、弦材幅方向に複数の三角金物を並べて設けることにより、トラス構造体において、弦材延在方向の同一位置における固定強度を容易に大きくすることができる。
【図面の簡単な説明】
【００２２】
【図１】本発明の実施形態に係る木造建築物用連結補強構造を表す分解斜視図である。
【図２】図１に示した三角金物の各辺部の差異を表す説明図である。
【図３】図１に示した三角金物における選択可能な高さを表す説明図である。
【図４】三角金物の向きによって低中高の三種類の異なる高さで繋がれた弦材の例を（ａ）（ｂ）（ｃ）で表した使用状況説明図である。
【図５】小スパンの開口部において三角金物が低高さで上下弦材を繋いだ構造体の正面図である。
【図６】中スパンの開口部において三角金物が中高さで上下弦材を繋いだ構造体の正面図である。
【図７】大スパンの開口部において三角金物が高高さで上下弦材を繋いだ構造体の正面図である。
【図８】柱に適用されたトラス構造体を示す正面図である。
【図９】アーチ構造物に適用された湾曲あるいは多角形の構造体を示す正面図である。
【図１０】三角金物を同方向に重ねて配置した正面図を（ａ）、三角金物を逆方向に重ねて配置した正面図を（ｂ）に表す説明図である。
【発明を実施するための形態】
【００２３】
以下、本発明に係る実施形態を図面を参照して説明する。
図１は本発明の実施形態に係る木造建築物用連結補強構造を表す分解斜視図、図２は図１に示した三角金物１１の各辺部の差異を表す説明図、図３は図１に示した三角金物１１における選択可能な高さを表す説明図である。
本実施形態に係る木造建築物用連結補強構造は、一方の弦材と、他方の弦材と、三角金物１１と、弦材当接面と、締結部材と、を主要な構成として有する。
【００２４】
一方の弦材は、本実施形態において、下弦材である下梁材１３として説明する。下梁材１３には、三角金物１１の一つの辺部（例えば底辺部）の両端に対応する位置で、上下に貫通する一対の固定穴１５が穿設されている。
【００２５】
他方の弦材は、一方の弦材に沿う。他方の弦材は、本実施形態において、上弦材である上梁材１７として説明する。つまり、一方の弦材と他方の弦材とは、水平な上下の梁材となる。上梁材１７には、三角金物１１の一つの辺部（底辺部）に対向する角部に対応する位置で、上下に貫通する固定穴１５が穿設されている。
【００２６】
三角金物１１は、下梁材１３と上梁材１７との間に、弦材延在方向で複数が配設される。各辺部は、斜辺部１９と、底辺部２１と、起立辺部２３と、からなる。これら斜辺部１９、底辺部２１、起立辺部２３には、長手方向に沿って複数、例えば斜辺部１９に５つ、底辺部２１に４つ、起立辺部２３に３つの貫通穴２５が穿設されている。貫通穴２５は、各辺部の両端に位置して少なくとも一対が設けられる。この一対の間に設けられている貫通穴２５は、他部材との干渉等によって両端の貫通穴２５が使用できない場合の予備の貫通穴２５となる。
【００２７】
図２に示すように、三角金物１１は、三辺の各辺部が異なる長さの直角三角形で形成される。斜辺部１９の長さＬ１は、底辺部２１の長さＬ２よりも長い。底辺部２１の長さＬ２は、起立辺部２３の長さＬ３よりも長い（Ｌ１＞Ｌ２＞Ｌ３）。
【００２８】
三角金物１１を形成する各辺部（斜辺部１９、底辺部２１、起立辺部２３）は、辺部延在方向に直交する断面形状が山形の山形鋼材によって形成される。
【００２９】
弦材当接面は、三角金物１１の各角部に形成される。弦材当接面は、底辺部２１に対向する底辺対弦材当接面２７と、斜辺部１９に対向する斜辺対向弦材当接面２９と、起立辺部２３に対向する起立辺対向弦材当接面３１と、からなる。それぞれの弦材当接面は、それぞれに対向する辺部と平行に形成される。これら斜辺対向弦材当接面２９、起立辺対向弦材当接面３１、底辺対弦材当接面２７には、上記貫通穴２５と同様の貫通穴２５が穿設される。
【００３０】
三角金物１１は、弦材当接面２７，２９，３１と、対向する辺部１９，２１，２３とが、上記のように平行となる。この平行な離間距離は、下梁材１３と上梁材１７との高さを設定する。三角金物１１は、この高さが、向きによって三種類で選択可能となる。図３に示すように、起立辺部２３とこの起立辺部２３に対向する弦材当接面である起立辺対向弦材当接面３１との離間距離、すなわち、高高さｈ３は、底辺部２１とこの底辺部２１に対向する弦材当接面である底辺対弦材当接面２７との離間距離、すなわち、中高さｈ２よりも高い。また、底辺部２１とこの底辺部２１に対向する弦材当接面である底辺対弦材当接面２７との離間距離、すなわち、中高さｈ２は、斜辺部１９とこの斜辺部１９に対向する弦材当接面である斜辺対向弦材当接面２９との離間距離、すなわち、低高さｈ１よりも高い（ｈ３＞ｈ２＞ｈ１）。
【００３１】
図４は三角金物１１の向きによって低中高の三種類の異なる高さで繋がれた弦材の例を（ａ）（ｂ）（ｃ）で表した使用状況説明図である。
三角金物１１を用いる木造建築物用連結補強構造は、この三角金物１１を、重心を中心に回転させた３つの向きで、下梁材１３と上梁材１７との間に設けることができる。これにより、三角金物１１は、下梁材１３と上梁材１７との間隔である高さ幅を低，中，高の三種類に変えることができる。すなわち、図４（ａ）に示すように、斜辺部１９を下梁材１３に固定し、斜辺対向弦材当接面２９を上梁材１７に固定することで、下梁材１３と上梁材１７との高さを低高さｈ１に設定できる。図４（ｂ）に示すように、底辺部２１を下梁材１３に固定し、底辺対弦材当接面２７を上梁材１７に固定することで、下梁材１３と上梁材１７との高さを中高さｈ２に設定できる。図４（ｃ）に示すように、起立辺部２３を下梁材１３に固定し、起立辺対向弦材当接面３１を上梁材１７に固定することで、下梁材１３と上梁材１７との高さを高高さｈ３に設定できる。
【００３２】
締結部材は、三角金物１１の一つの辺部を一方の弦材に固定し、一つの辺部に対向する弦材当接面を他方の弦材に固定する。本実施形態において、締結部材は、ボルト３３とナット３５とからなる。また、締結部材は、ナット３５と締結面との間に使用される平ワッシャ３７やスプリングワッシャ（図示略）を含んでもよい。弦材当接面及び各辺部には、上記の貫通穴２５が穿設される。ボルト３３とナット３５は、下梁材１３と上梁材１７の所定位置に穿設された固定穴１５と、貫通穴２５とを貫通し、ナット３５が螺合される。これによって、下梁材１３と上梁材１７との間に三角金物１１が固定される。
【００３３】
次に、木造建築物用連結補強構造を有するトラス構造体の施工例を説明する。
図５は小スパンの開口部において三角金物１１が低高さｈ１で上下弦材を繋いだ構造体３９の正面図、図６は中スパンの開口部において三角金物１１が中高さｈ２で上下弦材を繋いだ構造体４１の正面図、図７は大スパンの開口部において三角金物１１が高高さｈ３で上下弦材を繋いだ構造体４３の正面図である。
木造建築物用連結補強構造は、例えば開口部のまぐさを構成する構造体に用いることができる。開口部のスパンが比較的小さい図５に示す小スパン開口部４５に適用される構造体３９には、８個の三角金物１１が用いられる。この場合の三角金物１１は、低高さｈ１で用いられる。例えば、この構造体３９は、低高さｈ１が６００〜７００ｍｍで、開口可能スパンが６０００〜９５００ｍｍ程度となる。
【００３４】
図６に示す中スパン開口部４７に適用される構造体４１には、１０個の三角金物１１が用いられる。この場合の三角金物１１は、中高さｈ２で用いられる。例えば、この構造体４１は、中高さｈ２が７００〜８００ｍｍで、開口可能スパンが１００００〜１１０００ｍｍ程度となる。
【００３５】
図７に示す大スパン開口部４９に適用される構造体４３には、１６個の三角金物１１が用いられる。この場合の三角金物１１は、高高さｈ３で用いられる。例えば、この構造体４３は、高高さｈ３が９００〜１０００ｍｍで、開口可能スパンが１２０００〜１３０００ｍｍ程度となる。
【００３６】
このように、木造建築物用連結補強構造は、三角形の３辺を束材として使ったり、斜材として使ったり、一つの三角金物１１を回転させて組み付けることで、三種類の高さ幅のトラス構造となる構造体を実現できる。これにより、一つの三角金物１１で開口部のスパン７〜１２ｍまでの空間に対応させることが可能となる。
【００３７】
次に、上記した構成の作用を説明する。
本実施形態に係る木造建築物用連結補強構造では、下梁材１３と上梁材１７との間に、複数の三角金物１１が固定される。すなわち、下梁材１３と上梁材１７とは、三角金物１１を介し連結されて一体の構造物となる。一つの三角金物１１は、例えば一つの角部の弦材当接面が下梁材１３に固定される。また、三角金物１１は、一つの角部と対向する辺部の両端が、上梁材１７に固定される。それぞれの固定部は、滑点で弦材に接合されていると想定することができる。その場合、三角金物１１のそれぞれの弦材当接面のみに集中荷重が加わると、すなわち各辺部に荷重が加わらないと、三角金物１１の各辺部には剪断力や曲げモーメントが生じない。すなわち、三角金物１１は、下梁材１３と上梁材１７とを固定することによって、各辺部に沿う方向の引っ張り力または圧縮力の軸力のみが生じるトラス構造を構成する。
【００３８】
また、三角金物１１が用いられることで、従来の木製トラスのように、勾配や角度にあわせて斜材の両端をカットする専門技能が不要となる。さらに、カットした斜材や束材を固定するため、従来の木製トラスで用いられていた固定金物が不要となり、同時に、その固定作業も不要となる。
また、三角金物１１は、３つの各辺部が異なる直角三角形であるので、１つのものが、３通りの高さに使用が可能となる。そのため、三角金物１１を使うことで、高さの異なる３種類のトラス構造体を１種類の三角金物１１で実現できる。
【００３９】
また、木造建築物用連結補強構造では、下梁材１３と上梁材１７との間に複数の三角金物１１を設けることで、平行弦トラスが構成される。この平行弦トラスは、三角金物１１の向きを、三角金物１１の重心を中心とした回転方向に変えることで、三種類の高さが選択可能となる。その結果、スパンの異なる三種類の開口部、例えば小スパン開口部４５、中スパン開口部４７、大スパン開口部４９のそれぞれに応じ、開口部上方の平行弦トラス（まぐさ）を簡単に施工できる。
【００４０】
また、木造建築物用連結補強構造では、下梁材１３と上梁材１７との所定位置に、あらかじめ穿設されている固定穴１５に、貫通穴２５を一致させて三角金物１１が配置される。一致させた固定穴１５と貫通穴２５とに一つのボルト３３を挿通し、ボルト３３の挿通先端にナット３５を螺合する。これにより、弦材と三角金物１１とは、簡単に固定され、一体の構造物となる。その結果、下梁材１３と上梁材１７のあらかじめ決められた位置に固定穴１５を設けておくだけで、その固定穴１５の位置に三角金物１１を組み込み、ボルト３３とナット３５で固定するだけの簡単な施工で、トラス構造体を完成することができる。
【００４１】
さらに、木造建築物用連結補強構造では、三角金物１１の各辺部が、山形鋼材からなる。山形鋼材は、辺部延在方向に直交する断面形状が山形となる。山形は、断面形状が、直交する二片によってＬ字形状となる。すなわち、三角金物１１は、山形鋼材を用いることで、直角三角形を含む平面に対し、垂直な平面に平行な弦材当接面が、三角金物１１の外周面に容易に形成可能となる。その結果、断面形状が山形となり、これにより弦材当接面が形成される高強度な三角金物１１を、市販材料を用いて簡単に、且つ安価に製造できる。
【００４２】
次に、上記木造建築物用連結補強構造を用いたトラス構造体の変形例を説明する。
図８は柱に適用された構造体５１を示す正面図である。
上記の実施形態では、木造建築物用連結補強構造が平行弦トラスに適用される場合を例に説明したが、本発明に係る木造建築物用連結補強構造は、図８に示すように、柱に適用してもよい。この柱は、基礎部材５３と梁部材５５との間に、第１柱５７と第２柱５９が平行となって立設される。この第１柱５７と第２柱５９が、複数の三角金物１１によって繋がれて一体の柱であるトラス構造体５１となる。この柱として適用する場合においても、三角金物１１は、その向きを変えることで、柱幅、すなわち第１柱５７と第２柱５９との間隔幅を３通りに構成することができる。
【００４３】
図９はアーチ構造物に適用された湾曲あるいは多角形のトラス構造体６１を示す正面図である。
また、本発明に係る木造建築物用連結補強構造は、図９に示すように、一方の弦材と他方の弦材とが、湾曲あるいは折れ曲がった屈曲下梁材６３、屈曲上梁材６５であってもよい。この場合、一方の弦材と他方の弦材とは、複数の三角金物１１によって一体に繋がれて、アーチ状のトラス構造体６１を構成することができ、例えば、ドーム状屋根の構築に適用することも可能となる。
【００４４】
なお、本発明に係る木造建築物用連結補強構造において、三角金物１１は、辺部の辺部延在方向に直交する辺部幅長（図２の紙面垂直方向の長さ）が、一方の弦材及び他方の弦材の弦材延在方向に直交する弦材幅長（図４の紙面垂直方向の長さ）の半分以下となるように形成されてもよい。これにより、図１０に示すように、三角金物１１は、一方の弦材及び他方の弦材の幅方向に並べて配設が可能となる。
【００４５】
この木造建築物用連結補強構造では、三角金物１１の辺部幅長が、弦材幅長の半分以下となる。これにより、三角金物１１は、弦材幅長に沿う方向で、複数が重ねて配置可能となる。その結果、弦材幅方向に複数の三角金物１１を並べて、例えば図１０（ａ）に示すように、斜辺部１９が同方向となるように重ねて配置したり、図１０（ｂ）に示すように、斜辺部１９の向きを変えて重ねて配置し、設けることにより、トラス構造体において、弦材延在方向の同一位置における固定強度を容易に大きくすることができる。  
【００４６】
従って、本実施形態に係る木造建築物用連結補強構造によれば、トラス構造体を簡単施工で完成させることができ、しかも、高さの異なる三種類のトラス構造に対応できる。
【符号の説明】
【００４７】
１１…三角金物
１３…一方の弦材（下梁材）
１５…固定穴
１７…他方の弦材（上梁材）
１９…辺部（斜辺部）
２１…辺部（底辺部）
２３…辺部（起立辺部）
２５…貫通穴
２７…弦材当接面（底辺対弦材当接面）
２９…弦材当接面（斜辺対向弦材当接面）
３１…弦材当接面（起立辺対向弦材当接面）
３３…締結部材（ボルト）
３５…締結部材（ナット）
【図１】
0005922736.tif 000002
【図２】
0005922736.tif 000003
【図３】
0005922736.tif 000004
【図４】
0005922736.tif 000005
【図５】
0005922736.tif 000006
【図６】
0005922736.tif 000007
【図７】
0005922736.tif 000008
【図８】
0005922736.tif 000009
【図９】
0005922736.tif 000010
【図１０】
0005922736.tif 000011